(57)【要約】  見返しリングに装飾をせず低コストで美的外観を満足させ、かつ、時計駆動に十分な発電量を得られるソーラーセル付電子時計を提供する。  文字板(５)と、文字板(５)の中心部を囲むように配置された光透過性の見返しリング(７)と、見返しリング(７)の外側面(７ｃ)よりも外側に、外側面(７ｃ)と対向配置したソーラーセル(１１)とを有するソーラーセル付電子時計(１)であって、見返しリング(７)の外側面(７ｃ)における、ソーラーセル(１１)と対向する部分の少なくとも一部に傾斜面を形成し、傾斜面が、文字板(５)から見返しリング(７)の高さ方向に離れるにつれて、文字板(５)の中心部側に近づく方向に傾斜し、見返しリング(７)の底部の下面(７ｂ)に対向して、ソーラーセル(１１)の受光面とは異なる色の異色部材(１２)を設けた。
2015199064.tif 000002
【特許請求の範囲】
【請求項１】
文字板と、
前記文字板の中心部を囲むように配置された、底部及び外側面を少なくとも有する光透過性の見返しリングと、
前記外側面よりも外側に、前記外側面と対向して配置したソーラーセルと、を備え、
前記見返しリングは、前記外側面の少なくとも一部に第１の面を有するとともに、前記底部の少なくとも一部に第２の面を有し、
前記第１の面が前記文字板から高さ方向に離れるにしたがって前記文字板の前記中心部に近付くように傾斜する第１の角度と前記第２の面が前記中心部から離れるにしたがって前記高さ方向の下方に向かうように傾斜する第２の角度との和が０［度］を超え、
前記第２の面に対向して、前記ソーラーセルの受光面とは異なる色の異色部材を設けたソーラーセル付電子時計。
【請求項２】
前記第１の面及び前記第２の面が平滑面である請求項１に記載のソーラーセル付電子時計。
【請求項３】
前記異色部材が、前記底部に配置されるか、又は、前記底部に形成された部材である請求項１又は２に記載のソーラーセル付電子時計。
【請求項４】
前記異色部材が、前記底部に配置される部材であり、
前記異色部材を、前記底部に密接して配置した請求項３に記載のソーラーセル付電子時計。
【請求項５】
前記第１の角度が０［度］を超えた前記第１の面及び前記第２の角度が０［度］を超えた前記第２の面の少なくとも一方が、前記見返しリングの全周に形成されている請求項１から４のうちいずれか１項に記載のソーラーセル付電子時計。
【請求項６】
前記第１の角度が０［度］を超えている請求項１から５のうちいずれか１項に記載のソーラーセル付電子時計。
【請求項７】
前記ソーラーセルは、前記外側面に対して離間して配置され、
前記第１の面と前記ソーラーセルとの間に、前記見返しリングよりも屈折率が小さな物質又は部材を介在させた請求項６に記載のソーラーセル付電子時計。
【請求項８】
前記第１の面が、前記外側面における前記文字板側の端部から、前記外側面における前記文字板側とは反対側の端部まで形成されている請求項６又は７に記載のソーラーセル付電子時計。
【請求項９】
前記第１の面が、前記文字板から前記高さ方向に離れるにしたがって前記文字板の前記中心部に近付くように一定の角度で傾斜している請求項６から８のうちいずれか１項に記載のソーラーセル付電子時計。
【請求項１０】
前記第１の面が、前記外側面における前記文字板側の端部から、前記外側面における所定の高さの位置までは形成されず、前記外側面における前記所定の高さの位置から前記文字板側とは反対側の端部までの間の少なくとも一部に形成されている請求項６から９のうちいずれか１項に記載のソーラーセル付電子時計。
【請求項１１】
前記第２の角度が０［度］を超えている請求項１から５のうちいずれか１項に記載のソーラーセル付電子時計。
【請求項１２】
前記第２の面の少なくとも一部が、前記文字板の表面よりも前記高さ方向の下方まで延びている請求項１１に記載のソーラーセル付電子時計。
【請求項１３】
前記第２の面が、前記文字板の外周における側面から、前記外側面まで形成されている請求項１１又は１２に記載のソーラーセル付電子時計。
【請求項１４】
前記第２の面が、前記中心部から離れるにしたがって前記高さ方向の下方に向かうように一定の角度で傾斜している請求項１１から１３のうちいずれか１項に記載のソーラーセル付電子時計。
【請求項１５】
前記第２の面が、前記底部における外周側の端部から所定の長さの位置までは形成されず、前記底部における前記所定の長さの位置から前記底部における内周側の端部までの間の少なくとも一部に形成されている請求項１１から１４のうちいずれか１項に記載のソーラーセル付電子時計。
【発明の詳細な説明】
【技術分野】
【０００１】
本発明は、ソーラーセル付電子時計に関する。
【背景技術】
【０００２】
従来、ソーラーセルで得られた発電電力を時計駆動源として利用するソーラーセル付電子時計が知られている。ソーラーセルは、例えば、光透過性の文字板の背面側に配置したり、文字板表面上の外周部周囲に配置した光透過性の見返しリングの外側へ、略垂直に配置したりする。しかしながら、このようなソーラーセルの配置構造では、ソーラーセルの濃紺色が文字板や見返しリングを通して見えるため、美的外観が損なわれる。【０００３】
近年のソーラーセルの発電能力の向上と、時計駆動の低消費電力化の技術の進化に伴い、ソーラーセルを光透過性の文字板の背面側に配置する構造では、文字板に、半透過性の装飾などを施しても時計駆動に十分な発電量を得ることができる。そして、このような文字板への装飾によってソーラーセルを目立たなくするとともに、美的外観を満足させることができる。【０００４】
これに対し、ソーラーセルを、文字板表面上の外周部に配置した光透過性の見返しリングの外側へ、略垂直に配置した構造では、光透過性の見返しリングが立体的な形状であるため、見返しリングに半透過性の装飾を施すことが難しい。【０００５】
見返しリングに半透過性の装飾を施す例として、特許文献１には、光透過性の見返しリングの内周面に金属薄膜層を形成し、見返しリングの材料に着色材や蛍光材、光拡散材を配合した構造が開示されている。この構造では、半透過性の見返しリングを金属色に見せることができ、かつ、時計駆動に十分な発電量が得られる。
【先行技術文献】
【特許文献】
【０００６】
【特許文献１】特開２００５−２４９７２０号公報（段落００５９，段落００９５，段落００９９，図６，図１４）
【発明の概要】
【発明が解決しようとする課題】
【０００７】
特許文献１に示す構造の見返しリングを製造する場合、見返しリングの内周面以外をマスクし、内周面の金属薄膜の厚みをコントロールしなくてはならず、製造コストがかかってしまう。【０００８】
本発明は、このような事情に鑑みなされたものであって、低コストで見返しリングの美的外観を損なわず、時計駆動に十分な発電量を確保することができるソーラーセル付電子時計を提供することを目的とする。
【課題を解決するための手段】
【０００９】
上記課題を解決するため、本発明は、文字板と、前記文字板の中心部を囲むように配置された、底部及び外側面を少なくとも有する光透過性の見返しリングと、前記外側面よりも外側に、前記外側面と対向して配置したソーラーセルと、を備え、前記見返しリングは、前記外側面の少なくとも一部に第１の面を有するとともに、前記底部の少なくとも一部に第２の面を有し、前記第１の面が前記文字板から高さ方向に離れるにしたがって前記文字板の前記中心部に近付くように傾斜する第１の角度と前記第２の面が前記中心部から離れるにしたがって前記高さ方向の下方に向かうように傾斜する第２の角度との和が０［度］を超え、前記第２の面に対向して、前記ソーラーセルの受光面とは異なる色の異色部材を設けたソーラーセル付電子時計である。【００１０】
また、本発明は、前記第１の面及び前記第２の面が平滑面であるソーラーセル付電子時計である。【００１１】
また、本発明は、前記異色部材が、前記底部に配置されるか、又は、前記底部に形成された部材であるソーラーセル付電子時計である。【００１２】
また、本発明は、前記異色部材が、前記底部に配置される部材であり、前記異色部材を、前記底部に密接して配置したソーラーセル付電子時計である。【００１３】
また、本発明は、前記第１の角度が０［度］を超えた前記第１の面及び前記第２の角度が０［度］を超えた前記第２の面の少なくとも一方が、前記見返しリングの全周に形成されているソーラーセル付電子時計である。【００１４】
また、本発明は、前記第１の角度が０［度］を超えているソーラーセル付電子時計である。【００１５】
また、本発明は、前記ソーラーセルは、前記外側面に対して離間して配置され、前記第１の面と前記ソーラーセルとの間に、前記見返しリングよりも屈折率が小さな物質又は部材を介在させたソーラーセル付電子時計である。【００１６】
また、本発明は、前記第１の面が、前記外側面における前記文字板側の端部から、前記外側面における前記文字板側とは反対側の端部まで形成されているソーラーセル付電子時計である。【００１７】
また、本発明は、前記第１の面が、前記文字板から前記高さ方向に離れるにしたがって前記文字板の前記中心部に近付くように一定の角度で傾斜しているソーラーセル付電子時計である。【００１８】
また、本発明は、前記第１の面が、前記外側面における前記文字板側の端部から、前記外側面における所定の高さの位置までは形成されず、前記外側面における前記所定の高さの位置から前記文字板側とは反対側の端部までの間の少なくとも一部に形成されているソーラーセル付電子時計である。【００１９】
また、本発明は、前記第２の角度が０［度］を超えているソーラーセル付電子時計である。【００２０】
また、本発明は、前記第２の面の少なくとも一部が、前記文字板の表面よりも前記高さ方向の下方まで延びているソーラーセル付電子時計である。【００２１】
また、本発明は、前記第２の面が、前記文字板の外周における側面から、前記外側面まで形成されているソーラーセル付電子時計である。【００２２】
また、本発明は、前記第２の面が、前記中心部から離れるにしたがって前記高さ方向の下方に向かうように一定の角度で傾斜しているソーラーセル付電子時計である。【００２３】
また、本発明は、前記第２の面が、前記底部における外周側の端部から所定の長さの位置までは形成されず、前記底部における前記所定の長さの位置から前記底部における内周側の端部までの間の少なくとも一部に形成されているソーラーセル付電子時計である。
【発明の効果】
【００２４】
本発明に係るソーラーセル付電子時計によれば、見返しリングを見ると、見返しリングの底部に対向して設けた異色部材の色が視認されて装飾効果が付与され、ソーラーセルの色が目立たなくなる。【００２５】
これにより、光透過性の見返しリングへの半透過性の装飾が不要となり、低コストで美的外観を損なわず、時計駆動に十分な発電量を確保することができるソーラーセル付電子時計を実現することができる。
【図面の簡単な説明】
【００２６】
【図１】本発明に係るソーラーセル付電子時計の正面図である。
【図２】図１に示すソーラーセル付電子時計のＶ−Ｖ線断面図である。
【図３】ソーラーセルの斜視図である。
【図４】見返しリングの部分断面図である。
【図５】異色部材で反射した光が見返しリングの傾斜した外側面に入射する光の経路を説明するための図である。
【図６】異色部材で反射した光が見返しリングの傾斜していない外側面に入射する光の経路を説明するための図である。
【図７】見返しリングの傾斜した外側面の臨界角を説明するための図である。
【図８】見返しリングの傾斜していない外側面の臨界角を説明するための図である。
【図９Ａ】本発明の変形例で、見返しリングの外側面が曲面状に膨らんでいる図である。
【図９Ｂ】本発明の変形例で、見返しリングの外側面に、傾斜角度が異なる複数の傾斜面を形成した図である。
【図９Ｃ】本発明の変形例で、見返しリングの外側面が上側だけ傾斜している図である。
【図９Ｄ】本発明の変形例で、見返しリングの外側面が下側だけ傾斜している図である。
【図１０Ａ】本発明の見返しリング内の光の経路を説明するための図であり、図５に示した見返しリングの場合の図である。
【図１０Ｂ】本発明の見返しリング内の光の経路を説明するための図であり、図９Ｄの見返しリングの場合の図である。
【図１１】本発明の変形例で、見返しリングの外側面に支持凸部を設けた構造の図である。
【図１２】本発明の変形例で、見返しリングの外側とソーラーセルの間に保持部材を設けた図である。
【図１３】本発明の変形例で、見返しリングの下面に異色部材の代わりに、文字板を配置した図である。
【図１４】本発明の見返しリングの下面と異色部材が離間した場合の光の経路を説明するための図である。
【図１５Ａ】図２〜図５に示した見返しリングを射出成形等で成形するに際して、材料の注入口となるゲートの設置位置の一例を示す図５相当の図である。
【図１５Ｂ】図１５Ａに示した見返しリングからフランジを除去した状態を示す図である。
【図１６Ａ】図２〜図５に示した見返しリングを射出成形等で成形するに際して、材料の注入口となるゲートの設置位置の他の例を示す図５相当の図である。
【図１６Ｂ】図１６Ａに示した見返しリングから延長部分及びフランジを除去した状態を示す図である。
【図１７】ゲートの設置位置の他の例を示す図１５相当の図である。
【図１８】本発明の実施形態２に係るソーラーセル付電子時計を示す図２相当の図である。
【図１９】図１８のソーラーセル付電子時計における見返しリングを示す図５相当の図である。
【図２０】見返しリングの内側面から見返しリングの内部に光が入射した場合の光の進行方向を示す模式図である。
【図２１】底部に凹部が形成された変形例の見返しリングを示す図である。
【図２２Ａ】見返しリングの下面の形状が異なるソーラーセル付電子時計の変形例（その１）を示す図である。
【図２２Ｂ】見返しリングの下面の形状が異なるソーラーセル付電子時計の変形例（その２）を示す図である。
【図２２Ｃ】見返しリングの下面の形状が異なるソーラーセル付電子時計の変形例（その３）を示す図である。
【図２２Ｄ】見返しリングの下面の形状が異なるソーラーセル付電子時計の変形例（その４）を示す図である。
【図２３】本発明の実施形態３に係るソーラーセル付電子時計の一部を示す、図２相当の図である。
【図２４】図２３における見返しリングの詳細を示す図である。
【図２５Ａ】外側面が傾斜角度θ（＞０［度］）で傾斜し、下面が傾斜角度φ（＞０［度］）で傾斜した見返しリングを示す図である。
【図２５Ｂ】外側面が傾斜角度θ（＜０［度］）で傾斜し、下面が傾斜角度φ（＞０［度］）で傾斜した見返しリングを示す図である。
【図２６Ａ】最外周面よりも内側に、文字板の法線に対して傾斜角度θで傾斜した方向に延びる溝が形成され、最外周面が内側に傾斜した外形を有する見返しリングを示す図である。
【図２６Ｂ】最外周面よりも内側に、文字板の法線に対して傾斜角度θで傾斜した方向に延びる溝が形成され、最外周面が傾斜していない外形を有する見返しリングを示す図である。
【発明を実施するための形態】
【００２７】
以下、本発明の実施形態について、図面を参照して説明する。
【００２８】
図１は、本発明の実施形態に係る時計の表側（文字板側）を示す平面図、図２は、図１のＶ−Ｖ線断面図である。
【００２９】
［実施形態１］
図１、図２に示すように、本実施形態のソーラーセル付電子時計１は、時計ケース２の表側に風防ガラス４が取り付けられ、時計ケース２の裏側に裏蓋３が取り付けられている。時計ケース２の内部には、ムーブメント８が内蔵されている。時計ケース２の側面には、外部操作部材である竜頭１０に固着された巻真が通る貫通穴が開口している。（巻真及び貫通穴は図示せず。）竜頭１０を引き出すことにより、巻真がムーブメント８の内部の輪列（図示せず）に連結され、竜頭１０の回転によって、ソーラーセル付電子時計１に必要な操作が可能に構成されている。
【００３０】
竜頭１０は、回転させることによりムーブメント８に設けられた電気的接点をオン・オフし、これにより竜頭１０の回転操作を検出して、電気的にソーラーセル付電子時計１に必要な操作が可能に構成してもよい。
【００３１】
風防ガラス４の内側には、文字板５が配置され、風防ガラス４と文字板５との間には、ムーブメント８によって駆動される指針６（時針６ａ、分針６ｂ、秒針６ｃ）が同軸上に配置されている。文字板５の外周近傍に、文字板５の中心部を囲むように見返しリング７が配置されている。見返しリング７の外側面７ｃの外側には、ソーラーセル１１が配置されている。見返しリング７の底部の一部である下面７ｂ（第２の面の一例）に対向する部分を有する平板状の異色部材１２が文字板５の背面側に配置されている。
【００３２】
異色部材１２の背面には、ドーナツ状の中枠９が配置され、ムーブメント８が中枠９にはめ込まれる。ムーブメント８は、回路基板を内蔵し、この回路基板に電気的に接続された接続バネを有している。（回路基板及び接続バネは図示せず。）
異色部材１２は、ソーラーセル１１の受光面の色とは異なる色の部材であって、見返しリング７の装飾効果を高めるフィルムや塗料によって構成される。例えば、金属光沢調のフィルムや、ソーラーセル１１の受光面の色とは異なるさまざまな色調のフィルムで構成しても良い。
【００３３】
また、異色部材１２を塗料で構成する場合は、見返しリング７の下面７ｂに直接塗料を塗装しても良いし、例えば、見返しリング７の下面７ｂに対向して配置された中枠９や、中枠９とは別の部材に塗料を塗装しても良い。いずれの場合も、見返しリング７の内側面７ｄや外側面７ｃを着色する場合よりも、さまざまな色調の顔料を含む塗料を用いることができ、色の選択に対する制約が少ない。
【００３４】
つまり、見返しリング７の内側面７ｄや外側面７ｃを塗料で着色する場合には、ソーラーセル１１で発電することができる程度の光透過率を有する塗料を用いる必要があるという制約がある。一方、異色部材１２は、後述するように、その表面で反射する光を利用して見返しリング７に着色効果を付与するので、使用する塗料として光透過性という制約がない。
光透過性という制約がなければ、異色部材１２として、遮光性の塗料なども用いることができる。このことは、異色部材１２が塗料の場合に限らず、異色部材１２として有色の部材を用いる場合も同様である。
【００３５】
異色部材１２は、その表面が、光を反射する反射面となっている。異色部材１２を形成する塗料やフィルムが光を反射するものを用いて反射面を構成するか、または、塗料を塗装した部材の表面や異色部材を構成するフィルムの表面に、三角錐、半球、円柱などの光を反射する凹凸の微細パターンを形成することで反射面を構成しても良い。
【００３６】
図３は、ソーラーセル１１を示す斜視図である。ソーラーセル１１は、ポリエチレンテレフタラートなどの樹脂からなるフィルム状のベース基板１１ａと、その上にアモルファスシリコン等の半導体材料を含むように形成された光発電層１１ｂとを有する。ベース基板１１ａは、細長い帯状であり、可撓性を有する。ソーラーセル１１は、長手方向の一端の下部に光発電層１１ｂで発生する電力を取り出す端子としての電極１１ｃを有する。
【００３７】
ソーラーセル１１の電極１１ｃは、前述の接続バネと電気的に接続されることにより、ソーラーセル１１からの発電電力がムーブメント８に供給される。ソーラーセル１１は、光発電層１１ｂが時計の中心を向くように中枠９に組み込まれる。なお、ソーラーセル１１は可撓性を有しているので、図３のようにリング状にした場合には元の直線状態に戻ろうとする張力が作用し、中枠９の内側に張り付く。
【００３８】
図３のように、ソーラーセル１１は、中枠９における内側の全周に張り付けて配置できる長さであるが、全周でなく、一部分に張り付けて配置しても良い。また、ソーラーセル１１は、文字板５の表面に略垂直に配置されているが、文字板５に対して、傾いて配置されていても良い。
【００３９】
図４は見返しリング７の部分断面図である。見返しリング７は、透明樹脂により成型されている。したがって、見返しリング７は光透過性を有する。見返しリング７の上面７ａは文字板５の表面と平行である。見返しリング７の底部である下面７ｂは上面７ａと平行である。見返しリング７の外側面７ｃの全体（第１の面の一例）は、全周が、下面７ｂの外側の端を基準に傾斜角度（第１の角度）θ（＞０［度］）で内側に傾斜している。
【００４０】
この外側面７ｃは、文字板５から見返しリング７の高さ方向に離れるにつれて、文字板５の中心部側に近づく方向に一定の傾斜角度θで傾斜させて形成した傾斜面である。傾斜面は、外側面７ｃにおける文字板５側の端部（図４における下側の端部）から、外側面７ｃにおける文字板５側とは反対側の端部（図４における上側の端部）まで形成されている。つまり、傾斜面は外側面７ｃの全体に形成されている。外側面７ｃは平滑面である。
【００４１】
見返しリング７の内側面７ｄは、文字板５の中心部を囲むように立ち上がる。見返しリング７の内側面７ｄの下側には、凹部７ｅを有し、文字板５の外周部に凹部７ｅが載置される。尚、図４に示した見返しリング７は、上面７ａと下面７ｂが平行である。
すなわち、下面７ｂの傾斜角度（文字板５の中心部から離れるにしたがって見返しリング７の高さ方向の下方に向かう傾斜に対応した角度（第２の角度）φは０［度］である。したがって、傾斜角度θと傾斜角度φとの和（＝θ＋φ）は、０［度］を超えている。
なお、上面７ａと下面７ｂとを、必ずしも平行にする必要はない。また、上面７ａは、平坦な面ではなく、凹凸が形成されていてもよい。
【００４２】
見返しリング７は、ポリカーボネートやアクリル樹脂等の空気よりも屈折率の大きな透明樹脂で形成するのが良い。また、内部に顔料をまぜた半透明でも良い。
【００４３】
次に、図５と図６を用いて、見返しリング７を見たときに視認される色について説明する。
【００４４】
図５は、外側面７ｃが文字板５に対して傾斜した本発明の見返しリングにおいて、見返しリング７の下面７ｂの背面にある異色部材１２で反射する光の経路を説明するための図である。
【００４５】
図５において、見返しリング７は、外側面７ｃの全体が文字板５の表面に対する法線Ｈから一定の傾斜角度θで見返しリング７の内側（文字板５の中心部に近付く方向）に傾斜している。Ｌ１ｉ〜Ｌ３ｉは、異色部材１２の地点Ａにおいて異色部材１２の表面に異なる向きで入射する光、Ｌ１〜Ｌ３は、異色部材１２の地点Ａにおいて異色部材１２の表面でＬ１ｉ〜Ｌ３ｉが反射した光である。地点Ａで反射した光Ｌ１、光Ｌ２、光Ｌ３は、異色部材１２の表面に対する出射角の大小関係が、光Ｌ３＞光Ｌ２＞光Ｌ１となっている。
【００４６】
光には、ある面で反射する場合に、入射角度と反射角度とが等しくなる性質がある。図５の場合、異色部材１２の表面に入射して異色部材１２の表面で反射する光は、異色部材１２の表面に対する法線Ｈと異色部材１２の表面に入射する光Ｌ１ｉ〜Ｌ３ｉのそれぞれとが成す角度（入射角度θ１ｉ〜θ３ｉ）が、異色部材１２の表面に対する法線Ｈと異色部材１２の表面から反射する光Ｌ１〜Ｌ３のそれぞれとが成す角度（反射角度θ１ｏ〜θ３ｏ）に等しくなるように反射する。
【００４７】
同様に、外側面７ｃに入射して外側面７ｃで反射する光は、外側面７ｃの法線と外側面７ｃに入射する光とが成す角度（入射角度）が、外側面７ｃの法線と外側面７ｃから反射する光とが成す角度（反射角度）に等しくなるように反射する。例えば、異色部材１２の地点Ａにおいて、光Ｌ１の反射角で反射するためには、地点Ａへの光Ｌ１ｉの入射角が、光Ｌ２や光Ｌ３の場合の光Ｌ２ｉや光Ｌ３ｉの入射角と比較して小さな角度となる。
【００４８】
このように、小さな入射角度の光は、多くの光が下面７ｂで反射せずに透過し、光を反射する異色部材１２を設けることにより、下面７ｂに密接している異色部材１２の表面で反射することとなる。光Ｌ１ｉのうち、ごくわずかの光は、異色部材１２の表面まで透過せず、下面７ｂの表面で反射する。また、光Ｌ２ｉ，Ｌ３ｉは、光Ｌ１ｉよりも入射角度が大きいため、異色部材１２の表面まで透過せず、下面７ｂの表面で反射する光の割合が、入射角度の大きさに応じて増える。
【００４９】
そして、異色部材１２の表面で反射する光が異色部材１２の色を反映し、異色部材１２の表面まで到達せずに下面７ｂの表面で反射する光は、異色部材１２の色を反映しない。但し、異色部材１２の表面に入射し、後述するように見返しリング７内で反射して見返しリング７の内側面７ｄから出射するような入射角度で異色部材１２の表面に入射する光は、下面７ｂの表面で反射する光の割合が小さいため、異色部材１２の色を反映する光となる。
【００５０】
また、傾斜面が形成された外側面７ｃとソーラーセル１１との間には空気が存在し、見返しリング７は空気よりも屈折率が大きいため、外側面７ｃで光が反射する。すなわち、この場合は、空気が、見返しリング７を構成する材質よりも屈折率が小さな物質として、傾斜面とソーラーセル１１との間に介在している。
【００５１】
外側面７ｃでの入射角度と反射角度とが等しくなる光の性質に基づくと、図５に示した見返しリング７の形状の場合には、地点Ａから光Ｌ１の向きで外側面７ｃに向かう場合、光Ｌ１は全て、見返しリング７の内側面７ｄの上端部付近から、見返しリング７の内側に出射することとなる。尚、外側面７ｃに対する光Ｌ１の入射角度では、外側面７ｃで光Ｌ１が全反射すると仮定している。
【００５２】
光Ｌ２は、外側面７ｃでの入射角度と反射角度とが等しくなる性質から外側面７ｃでの反射角が定まり、光Ｌ２の一部の光Ｌ２ｂが外側面７ｃで反射して、内側面７ｄの高さ方向における中央付近から見返しリング７の内側に出射することとなる。光Ｌ２の残りの光Ｌ２ａは、外側面７ｃから外側に透過する。この光Ｌ２ａは、ソーラーセル１１による発電に寄与する光である。
【００５３】
光Ｌ３は、外側面７ｃでの入射角度と反射角度とが等しくなる性質から外側面７ｃでの反射角度が定まり、光Ｌ３の一部の光Ｌ３ｂが外側面７ｃで反射して、内側面７ｄの高さ方向における下端部近傍から見返しリング７の内側に出射することとなる。光Ｌ３の残りの光Ｌ３ａは、外側面７ｃから外側に透過する。この光Ｌ３ａは、ソーラーセル１１による発電に寄与する光である。異色部材１２の表面で光を反射させることにより、光Ｌ２ａや光Ｌ３ａ等のソーラーセル１１の受光面に入射する光を増やし、ソーラーセル１１による発電に寄与する光を生じさせることができる。
【００５４】
また、一般に、ある面に入射する光は、その面への入射角度が大きくなるに従って反射量が増加するとともに透過量が減少し、その面への入射角度が小さくなるに従って反射量が減少するとともに透過量が増加する性質がある。この性質に基づくと、外側面７ｃへの入射角度の関係は、光Ｌ１＞光Ｌ２＞光Ｌ３であるため、外側面７ｃで反射して見返しリング７の内側へ出射する光の量は、光Ｌ１＞光Ｌ２ｂ＞光Ｌ３ｂとなる。従って、見返しリング７を斜め上方から容易に見ることができる角度の光Ｌ１の光の量が多くなり、文字板５の表面に対して平行に近くなり、容易に視認できない角度の光Ｌ３ｂの光の量が少なくなる。
【００５５】
異色部材１２の表面で反射し、見返しリング７の内側に出射する光Ｌ１，光Ｌ２ｂは、異色部材１２で反射する際に異色部材１２の色を反映することとなる。従って、これらの光が見返しリング７の外側に出射して視認されると、見返しリング７が、異色部材１２の色として視認される。光Ｌ３ｂは、光の量が少ないため、見返しリング７における異色部材１２の色としての視認には、ほとんど寄与しない。
【００５６】
光Ｌ１，光Ｌ２ｂに、異色部材１２の色を確実に反映するためには、図２に示したように、外側面７ｃに対し、ソーラーセル１１の受光面を離間させるのが好ましい。仮に、ソーラーセル１１の受光面の一部又は全体が、外側面７ｃに空気層を介さずに密接し、ソーラーセル１１の受光面と見返しリング７とが、ほぼ同じ屈折率である場合、外側面７ｃに入射する光は、密接部分において外側面７ｃを透過してソーラーセル１１の受光面で反射する。
この光が内側面７ｄから出射すると、ソーラーセル１１の受光面の色が反映され、異色部材１２の色が認識されにくくなる。但し、ソーラーセル１１の受光面と見返しリング７とを互いに異なる屈折率にすれば、外側面７ｃでの光の透過を防いで、ソーラーセル１１の受光面の色を反映させないようにすることができる。
【００５７】
図６は、外側面が文字板に対して傾斜しない従来の見返しリングにおいて、見返しリングの下面の背面にある異色部材１２で反射する光の経路を説明するための図である。
【００５８】
図６に示した見返しリング７、文字板５、異色部材１２は、見返しリング７の外側面７ｃが文字板５に対して傾斜しないこと以外は、図５に示したものと同一の条件である。すなわち、見返しリング７における外側面７ｃ以外の形状、異色部材１２における地点Ａの位置や、光Ｌ１〜Ｌ３の地点Ａでの反射角は、図５に示したものと同じである。
【００５９】
ある面における光の入射角と反射角とが等しくなる性質に基づいて、光Ｌ１〜Ｌ３の経路を図６に示す。図６に示した見返しリング７の形状の場合には、地点Ａから光Ｌ１は、上面７ａに向かい、見返しリング７の上面７ａにおける横方向の左側付近から、見返しリング７の上側に出射することとなる。
【００６０】
光Ｌ２は、外側面７ｃでの入射角と反射角とが等しくなる性質から外側面７ｃでの反射角が定まり、上面７ａの横方向における中央付近から見返しリング７の内側に出射することとなる。尚、光Ｌ２は、外側面７ｃで全反射すると仮定している。
【００６１】
光Ｌ３は、外側面７ｃでの入射角と反射角とが等しくなる性質から外側面７ｃでの反射角度が定まり、光Ｌ３の一部の光Ｌ３ｂは、外側面７ｃで反射して、上面７ａの横方向における右端部近傍から見返しリング７の上側に出射することとなる。光Ｌ３の残りの光Ｌ３ａは、外側面７ｃを透過する。
【００６２】
図５のように、見返しリング７の外側面７ｃが傾斜している場合には、見返しリング７の内側面７ｄから光Ｌ１，光Ｌ２ｂ，光Ｌ３ｂが出射するのに対し、図６のように、見返しリング７の外側面７ｃが、内側に傾斜しない場合には、光Ｌ１，光Ｌ２，光Ｌ３ｂのように、上面７ａから見返しリング７の上側へ出射しやすくなる。
【００６３】
すなわち、見返しリング７の外側面７ｃを、見返しリング７の内側に傾斜する形状に形成することにより、異色部材１２で反射し、外側面７ｃに入射する光を、内側面７ｄに向けて反射させ、見返しリング７の内側へ出射しやすくできる。
【００６４】
見返しリング７の上面７ａの上には、図２及び図６に示すように、時計ケース２が配置される。従って、見返しリング７を斜め上方から見ると、図５に示した見返しリング７の場合は、光Ｌ１，光Ｌ２ｂ，光Ｌ３ｂが、時計ケース２が存在しない範囲を通過して視認側まで到達するが、図６に示した見返しリング７の場合は、光Ｌ１，光Ｌ２，光Ｌ３ｂが、時計ケース２の背面に向かい、時計ケース２に遮られて視認側には到達しない。
【００６５】
図２，図５，図６に示したソーラーセル付電子時計１は、見返しリング７の上面７ａの上に時計ケース２が位置する構成であるが、見返しリング７の上面７ａの上に、時計ケース２以外で光を遮光する部材が配置されている場合でも、図６に示した見返しリング７は、光Ｌ１，光L２，光Ｌ３ｂが視認側には到達しない。
【００６６】
図５に示した見返しリング７の場合であっても、異色部材１２から反射した光のすべてが、内側面７ｄに向かって反射するのではなく、地点Ａよりも文字板５側に位置する地点から外側面７ｃの上端部近傍に向かう光のように、上面７ａに到達するものもある。しかし、図６に示した見返しリング７と比較すると、図５に示した見返しリング７は、異色部材１２の各点から反射して、外側面７ｃに向かう光の多くは内側面７ｄから出射することとなる。
【００６７】
この外側面７ｃの傾斜の有無の違いにより、図５に示した見返しリング７は、見返しリング７の色が異色部材１２の色のように視認され、図６に示した見返しリング７は、暗い色に視認される。
【００６８】
次に、図７と図８を用いて、見返しリング７の外側面７ｃで反射して視認側に到達する光と、見返しリング７の外側面７ｃの臨界角との関係について説明する。
【００６９】
尚、臨界角は、屈折率が大きな物質から小さな物質に光が入射するときに、全反射が起きる最も小さな入射角である。
【００７０】
図７は、外側面７ｃが文字板５の法線Ｈを基準に内側に傾斜角度θで傾斜した本願の見返しリングの場合の図、図８は、外側面７ｃが傾斜しない従来の見返しリングの場合の図であり、これらは、見返しリングの外側面の傾斜角度だけが異なる。
【００７１】
図７と図８に示すθＲは、見返しリング７の外側面７ｃにおけるＢ点の臨界角を示す。図７と図８の外側面７ｃは、傾斜角度θが異なるだけで、他の条件は同じであるから、Ｂ点の法線に対して、図７、図８のどちらも同じ臨界角θＲとなる。
【００７２】
図７に示すように、臨界角θＲと時計ケース２の端部Ｐの間には、角度θＫの範囲の開きがあるのに対し、図８の場合は、臨界角θＲの範囲内に時計ケース２の端部Ｐが位置する。図７の場合は、光Ｌのように、臨界角θＲを越える反射角度θ１の光が、見返しリング７の斜め上方から視認できる範囲に反射するのに対し、図８の場合は、上面７ａを覆う時計ケース２の長さＩが、図７の場合と同じであるにもかかわらず、臨界角θＲを越える反射角度θ１の光Ｌが、時計ケース２に遮られてしまう。
【００７３】
図８の場合は、臨界角θＲの範囲内で、異色部材１２から外側面７ｃに向かい、外側面７ｃで反射して、臨界角θＲの範囲内で外側面７ｃから見返しリング７の内側に出射される光も存在する。しかし、このような光は、外側面７ｃの臨界角θＲよりも小さな入射角度及び反射角度の光であるため、外側面７ｃで反射する光の量がごくわずかとなり、これに伴って、外側面７ｃで反射して見返しリング７の内側に出射する光量もごくわずかとなる。
【００７４】
従って、このような光は、見返しリング７を異色部材１２の色として視認させる効果が得られにくい。このように、臨界角θＲの範囲内において、異色部材１２から外側面７ｃに入射する光の多くは、外側面７ｃを透過してソーラーセル１１に向かって出射する。従って、この光が、ソーラーセル１１で反射し、外側面７ｃ及び内側面７ｄを透過して視認側に向かい、ソーラーセル１１の受光面の色が反映され、見返しリング７は、暗い色に視認されることとなる。
【００７５】
すなわち、臨界角θＲが、時計ケース２の端部Ｐから見返しリング７の内側に離れるほど、斜め上方から見返しリング７の外側面７ｃを見たときに、異色部材１２を反映した光が、視認側に届きやすくなる。この現象は、外側面７ｃのＢ点に限ったことではなく、外側面７ｃの各点で生じる。
図５に示したように、見返しリング７の外側面７ｃを内側に傾けることによって、臨界角θＲを時計ケース２の端部Ｐから見返しリング７の内側に遠ざけることができる。
【００７６】
また、見返しリング７の形状や時計ケース２の形状によっては、外側面７ｃが文字板５の面に垂直な図８の見返しリング７の場合でも、時計ケース２の端部Ｐと臨界角θＲとの間に開きができることもある。
この場合は、外側面７ｃが文字板５の面に垂直であっても、わずかな範囲ではあるが、斜め上方から見返しリング７の外側面７ｃを見たときに、異色部材１２からの光が、視認側に届くことになる。そして、この条件で、外側面７ｃを傾斜角度θだけ傾斜させることにより、さらに、傾斜角度θだけ広い視野範囲で、異色部材１２の色が視認されることとなる。
【００７７】
従って、見返しリング７の形状や、時計ケース２が上面７ａを覆う範囲によって、斜め上方から見返しリング７を見たときの異色部材１２の色の見え方は変わってくるが、外側面７ｃの傾斜条件以外が同じであれば、外側面７ｃを傾斜させた方が、異色部材１２の色が、傾斜角度θの範囲だけ視認されやすくなる。
【００７８】
このように、見返しリング７の外側面７ｃを、見返しリング７の内側に傾斜する形状に形成することにより、時計ケース２に遮られずに斜め上方に到達する光が増え、斜め上方から視認したときに、見返しリング７が、異色部材１２の色に視認されやすくなる。
【００７９】
また、異色部材１２で反射した光の一部がソーラーセル１１の受光面に入射することで、時計駆動に十分な発電量を得ることができる。
例えば見返しリング７の内側面７ｄ又は外側面７ｃに光透過性の着色部材を内側面７ｄ又は外側面７ｃに設けた場合には、内側面７ｄや外側面７ｃの透過率が光透過性の着色部材によって低下し、ソーラーセル１１に到達する光量が減って発電効率も低下する。
これに対し、本実施形態の見返しリング７によれば、透過率が低下するような光透過性の着色部材を内側面７ｄ又は外側面７ｃに設ける必要がないため、ソーラーセル１１の受光面に入射する光の光量を増大させることができ、ソーラーセルの発電効率を向上させることができる。  
【００８０】
下記の表１は、透明なポリカーボネート樹脂で成形した図５に示す形状の見返しリング７及び時計ケース２において、外側面７ｃの傾斜角度θを、それぞれ、１０°、１５°、２０°、２５°、３０°の５種類に形成し、斜め上方から複数の視認角度で見返しリング７を見た場合の外観状態を評価した表である。
【００８１】
【表１】
2015199064.tif 000003
なお、視認角度は、文字板５の表面に対する法線との角度が１５°，４５°，７５°の３段階であり、表１中の×印、△印、○印、◎印は次の判定基準に基づいている。
×・・・・４５°以上の視認角度では、異色部材１２の色が視認しにくい。
△・・・・７５°以上の視認角度では異色部材１２の色が視認しにくい。
○・・・・ほぼすべての視認角度で異色部材１２の色が視認できる。
◎・・・・すべての視認角度で異色部材１２の色が視認できる。
【００８２】
表１の結果を基に、外側面７ｃの傾斜角度θは２０°〜３０°が好適な範囲である。
ただし、傾斜角度θが２０°未満の範囲であっても０°を超えている範囲で、傾斜角度θが０°以下の場合に比べて、視認角度４５°未満の範囲で、異色部材１２の色を視認し易くなる。
【００８３】
よって、外側面７ｃが文字板５の法線を基準に傾斜角度θで内側に傾斜している見返しリング７は、異色部材１２で反射し、外側面７ｃで反射して異色部材１２の色が反映された光を傾斜角度θ分だけ、見返しリング７の内側に傾けて出射させることができる。これにより、見返しリング７を装飾しなくても、見返しリング７は、異色部材１２の色が視認されることで、装飾効果を付与することができる。
また、見返しリング７は光が透過する透明樹脂で成型されているため、見返しリング７に入射した光は、見返しリング７の外側に配置されたソーラーセル１１に光を導光することができ、時計駆動に十分な発電量を得られることとなる。
【００８４】
［実施形態１の変形例］
次に、図９Ａから図１２を用いて、本発明におけるソーラーセル付電子時計の変形例を説明する。
図９Ａ、図９Ｂ、図９Ｃ及び図９Ｄは、見返しリング７の外側面７ｃの形状が異なるソーラーセル付電子時計の変形例である。
図９Ａ〜図９Ｄに示したソーラーセル付電子時計が、図１〜図５及び図７に示したものと異なるのは、見返しリング７における外側面７ｃの形状だけであり、これ以外の構成は同一であるため説明を省略する。
【００８５】
図９Ａは、外側面７ｃを、外側に膨らんだ曲面状に傾斜させて形成し、図９Ｂは、外側面７ｃを、傾斜角度が異なる複数の傾斜面に形成し、図９Ｃは、外側面７ｃの上側だけを傾斜面に形成し、図９Ｄは、外側面７ｃの下側だけを傾斜面に形成した例である。
【００８６】
図９Ａに示す見返しリング７は、下面７ｂから断面高さが３分の１の付近である地点Ｃまでは、外側面７ｃが見返しリング７の外側に傾斜しているが、外側面７ｃにおける地点Ｃよりも上の部分は、見返しリング７の内側に傾斜している。
このように、外側面７ｃの斜面を曲面に形成しても、地点Ａから反射する光Ｌ１〜Ｌ３を、外側面７ｃで反射させて見返しリング７の内側に向かって出射させることができる。特に、図９Ａに示す見返しリング７の場合は、外側面７ｃが曲面であるため、外側面７ｃで反射する光を内側面７ｄの範囲内に集中させるように、外側面７ｃにおける光の反射角度を調整することが容易である。
【００８７】
図９Ｂに示す見返しリング７は、外側面７ｃに傾斜角度が異なる３つの傾斜面が形成されている。３つの傾斜面は、下面７ｂから地点Ｄの間の傾斜面と、地点Ｄから地点Ｅの間の傾斜面と、地点Ｅ点から上面７ａの間の傾斜面である。
この例では、文字板５の表面に対する法線Ｈを基準にして、傾斜角度θの大小関係が、下面７ｂから地点Ｄの間の傾斜面＜地点Ｄから地点Ｅの間の傾斜面＜地点Ｅ点から上面７ａの間の傾斜面、となるように、各傾斜面が形成されている。いずれの傾斜面も、見返しリング７の内側に傾斜している。
【００８８】
このように、外側面７ｃに、互いに傾斜角度θが異なる複数の傾斜面を形成することで、地点Ａから反射する光Ｌ１〜Ｌ３を、外側面７ｃで反射させて見返しリング７の内側に向かって出射させることもできる。そして、図９Ｂに示す見返しリング７の場合は、外側面７ｃが曲面に近い形状となるため、図９Ａに示す見返しリング７と同様に、外側面７ｃで反射する光を内側面７ｄの範囲内に集中させるように、外側面７ｃにおける光の反射角度を調整することが容易である。
【００８９】
図９Ｃに示す見返しリング７は、外側面７ｃの一部に傾斜面が形成されている。下面７ｂから地点Ｆまでは傾斜せず（傾斜角度θ＝０［度］）、地点Ｆと上面７ａの間が傾斜している。すなわち、外側面７ｃにおける文字板５側の端部から、所定の高さの位置である地点Ｆまでは傾斜面が形成されず、所定の高さの位置である地点Ｆから外側面７ｃにおける文字板５側とは反対側の端部との間に傾斜面が形成されている。
【００９０】
このように、外側面７ｃの断面における上側だけに傾斜面を形成しても、地点Ａから反射する光Ｌ１〜Ｌ３を、外側面７ｃで反射させて見返しリング７の内側に向かって出射させることができる。特に、図９Ｃに示す見返しリング７の場合は、下面７ｂと外側面７ｃとが成す角度が直角であり、この部分の角度が９０度未満である図５等に示した見返しリング７と比較して、外側面７ｃの下端の部分が破損しにくくなり、見返しリング７の耐衝撃性が向上する。
【００９１】
なお、図９Ｃに示す見返しリング７は、次に説明する図７Ｄに示す見返しリング７のように、外側面７ｃにおける文字板５側とは反対側の端部の近傍が傾斜しない構成とすることもできる。
すなわち、図９Ｃに示す見返しリング７は、外側面７ｃにおける文字板５側の端部から、所定の高さの位置である地点Ｆまでは傾斜面が形成されず、所定の高さの位置である地点Ｆから外側面７ｃにおける文字板５側とは反対側の端部との間の少なくとも一部に傾斜面を形成することができる。
【００９２】
図９Ｄに示す見返しリング７も、外側面７ｃの一部に傾斜面が形成されている。この見返しリング７は、下面７ｂと地点Ｇの間が傾斜し、地点Ｇと上面７ａの間は傾斜していない。すなわち、外側面７ｃにおける文字板５側の端部から、所定の高さ位置である地点Ｇまでの間に傾斜面が形成され、所定の高さ位置である地点Ｇから外側面７ｃにおける文字板５側とは反対側の端部との間に傾斜面が形成されている。
このように、外側面７ｃにおける断面方向の下側だけに傾斜面を形成しても、地点Ａから反射する光Ｌ１〜Ｌ３を、外側面７ｃで反射させて見返しリング７の内側に向かって出射させることができる。
【００９３】
特に、図９Ｄに示す見返しリング７の場合は、後述するように、文字板５から風防ガラス４までの奥行きの長さが、実際の長さよりも短く感じられる視覚効果が得られる。
【００９４】
このように、外側面７ｃの傾斜面の形状を工夫することにより、地点Ａに限らず、内側面７ｄのそれぞれの部分で反射して内側面７ｄから出射する光の角度や位置を、細かく調整することができる。
【００９５】
次に、図９Ｄに示した見返しリング７によって得られる効果を、図５に示した見返しリングの場合と比較して説明する。
図１０Ａは図５に示す見返しリング７において、下面７ｂの地点Ｍから異色部材１２で反射した光Ｌ４〜Ｌ６の経路を示し、図１０Ｂは、図９Ｄに示す見返しリング７において、下面７ｂの地点Ｍから異色部材１２で反射した光Ｌ４〜Ｌ６の経路を示している。
【００９６】
光Ｌ４〜Ｌ６は、異色部材１２における地点Ｍで異なる向きに反射した光である。尚、地点Ｍで反射する光Ｌ４〜Ｌ６は、見返しリング７の外部から地点Ｍに入射する光（図示を省略）が反射したものである。地点Ｍで反射した光Ｌ４、光Ｌ５、光Ｌ６と異色部材１２の表面に対する法線Ｈと成す出射角度の大小関係は、光Ｌ６＞光Ｌ５＞光Ｌ４となっている。
【００９７】
図１０Ｂは、図１０Ａと、上面７ａの幅及び下面７ｂの幅は同一で、外側面７ｃの下面７ｂから地点Ｇまでが傾斜し、上面７ａから地点Ｇまでが傾斜しない構成である。そのため、図１０Ｂは、外側面７ｃに形成された傾斜面の上端が、図５よりも、文字板５側に位置するため、外側面７ｃの傾斜角度αが図５の傾斜角度θよりも大きくなる。
【００９８】
図１０Ａの光Ｌ４〜Ｌ６の経路と図１０Ｂの光Ｌ４〜Ｌ６の経路を比較すると、図１０Ｂは、外側面７ｃの傾斜面で反射した光は、光Ｌ５、光Ｌ６のように、内側面７ｄから出射する。これに対し、図１０Ｂの光Ｌ４のように、上面７ａからＧまでの傾斜しない面で反射した光は、上面７ａの方向に反射し、見返しリング７の上面７ａの上面７ａに配置される時計ケース２によって遮光される。従って、図１０Ｂは、図１０Ａよりも、見返しリング７の内側面７ｄにおける上部付近から出射する光が少なくなる。
【００９９】
よって、図１０Ｂの見返しリング７の内側面７ｄを視認すると、図１０Ａよりも、見返しリング７の上部付近が暗く見えることとなり、暗く見える上部付近を見返しリング７と認識できず、見返しリング７が実際の高さ（寸法）よりも、低いと錯覚することとなる。これにより、文字板５から風防ガラス４までの奥行きの長さ（寸法）が、実際の長さよりも短く感じられる視覚効果が得られる。
【０１００】
尚、図１０Ｂに示す見返しリング７は、外側面７ｃの傾斜面の傾斜角度αが図１０Ａに示す見返しリング７の傾斜角度θよりも大きいため、外側面７ｃの傾斜面で反射した光は、光Ｌ５、光Ｌ６のように、図１０Ａの場合よりも、内側面７ｄの低い位置から文字板５の表面方向に出射することとなる。これによって、見返しリング７の上部付近において、より広い範囲が暗く見え、文字板５から風防ガラス４までの奥行きの長さが、実際の長さよりも短く感じられる視覚効果をさらに高めることができる。
【０１０１】
図１１に示したソーラーセル付電子時計が、図１〜図５及び図７に示したものと異なるのは、見返しリング７に支持凸部７ｆを一体に形成したことだけであり、これ以外の構成は同一であるため説明を省略する。支持凸部７ｆは、見返しリング７の外側面７ｃからソーラーセル１１側に突き出し、１２時、３時、６時、９時位置などの複数個に形成されている。支持凸部７ｆは、所定の厚さを有する板状であり、側面から見た形状が直角三角形であって、ソーラーセル１１に底辺が対向し、外側面７ｃに斜辺が対向し、異色部材１２に鋭角の部分が隣接する。
【０１０２】
支持凸部７ｆにより、時計ケース２の側面からの衝撃により、ソーラーセル１１が変形して見返しリング７側へ突出した状態となることを防ぐことができる。さらに、風防ガラス４及び裏蓋３などの上下方向の衝撃が加わったときに、見返しリング７に加わる衝撃を複数の支持凸部７ｆに分散して、見返しリング７の破壊を防ぐことができる。
また、支持凸部７ｆが設けられている部分では、図６に示した外側面７ｃが傾斜しない場合と同様な光の反射となり、斜め上方から見返しリング７を視認したときに、他の部分と視認される色が異なることから、１２時、３時、６時、９時位置の時字を表すなど、情報表示として利用することが可能になる。
【０１０３】
図１２に示したソーラーセル付電子時計が、図１〜図５及び図７に示したものと異なるのは、見返しリング７とソーラーセルとの間にリング１３を配置したことだけであり、これ以外の構成は同一であるため説明を省略する。リング１３は、見返しリング７の外側面７ｃの全周を囲むように配置された環状形状であって、透明な部材である。
リング１３の断面形状は直角三角形であり、ソーラーセル１１に底辺が対向し、傾斜面である外側面７ｃに斜辺が対向し、異色部材１２に鋭角の部分が隣接するように配置される。リング１３は、外側面７ｃと対向する面が、外側面７ｃに密接し、ソーラーセル１１と対向する支持面１３ａは、ソーラーセル１１と密接するか、又は、わずかな間隙が設けられる。
【０１０４】
リング１３は見返しリング７よりも屈折率が小さい。例えば、見返しリング７がポリカーボネートで形成されている場合、リング１３は、これよりも屈折率の小さなアクリル樹脂等によって形成することができる。このように、見返しリング７の外側面７ｃに形成された傾斜面に密接する部材は、その屈折率が見返しリング７の屈折率よりも小さいことが、見返しリング７の内部から外側面７ｃに入射した光を外側面７ｃで反射させるための条件となる。
【０１０５】
すなわち、この場合は、リング１３が、見返しリング７よりも屈折率が小さな部材として、傾斜面とソーラーセル１１との間に介在している。仮に、リング１３が外側面７ｃに形成された傾斜面とは密着せず、わずかな隙間がある場合は、傾斜面とソーラーセル１１との間に、見返しリング７よりも屈折率が小さな物質として、空気が介在することとなる。
【０１０６】
図１２に示したソーラーセル付電子時計は、時計ケース２の側面から衝撃が加えられた場合に、リング１３の支持面１３ａにより、ソーラーセル１１が見返しリング７側に動いて突出した状態となることを防ぐことができる。また、リング１３は、見返しリング７とは屈折率が異なる部材で構成されており、見返しリング７の内部から見返しリング７の外側面７ｃに入射する光は、図５に示した見返しリングと同様に、外側面７ｃで反射する。リング１３の屈折率に応じて外側面７ｃの臨界角が変わる。
【０１０７】
図１３は、文字板５の上に見返しリング７を載置したソーラーセル付電子時計の変形例である。
【０１０８】
図１３に示したソーラーセル付電子時計が、図１〜５及び図７に示したものと異なるのは、見返しリング７における下面７ｂを平坦に形成し、文字板５の外周部分を見返しリング７の外側面７ｃの下端部まで延ばし、下面７ｂを文字板５の表面に載置して、文字板５を異色部材として用いた点であり、これ以外の構成は同一であるため説明を省略する。
【０１０９】
この構成の場合は、見返しリング７の下に位置する文字板５が、異色部材として機能する。従って、文字板５における下面７ｂに対向する部分を、所望の色にすることにより、この色を、斜め上方から見返しリング７をみたときに視認させることができる。もちろん、文字板５は、下面７ｂに対向する部分と、これ以外の部分とを同じ色で構成しても良い。
【０１１０】
尚、本発明において、異色部材１２の色を見返しリング７の内側面７ｄに反映させるためには、異色部材１２は、図５に示したように、見返しリング７の下面７ｂに密接していることが好ましい。その理由を、図１４を用いて説明する。図１４に示したソーラーセル付電子時計が、図１〜図５及び図７に示したものと異なるのは、異色部材１２が見返しリング７の下面７ｂから離間していることだけであり、これ以外の構成は同一であるため説明を省略する。
【０１１１】
図１４に示すように、見返しリング７の下面７ｂと異色部材１２とが離間すると、見返しリング７の外側面７ｃに近い地点Ｚで反射する光Ｌ７のように、異色部材１２の表面で反射し、見返しリング７の下面７ｂと異色部材１２との間から、外側面７ｃの外側に出射する光が存在する。これにより、下面７ｂと異色部材１２との間から出射する光の量に応じて、見返しリング７における内側面７ｄから出射する光が減り、内側面７ｄから出射する光が異色部材１２の色を反映しにくくなる。但し、意図的に見返しリング７の下面７ｂから異色部材１２を離間させ、異色部材１２の色を反映する光の量を調節することも可能である。
【０１１２】
また、見返しリング７の下面７ｂが平滑面の場合、見返しリング７の外部から入射して異色部材１２で反射する光に、異色部材１２の色を最も良く反映できる。下面７ｂの表面を粗面にすると、見返しリング７の外部から下面７ｂに入射した光が散乱し、外側面７ｃに反射しにくくなったり、見返しリング７が白く濁ったりする。但し、この場合も、目的とする効果に応じて、下面７ｂを粗面にしても良いし、意図的に、外側面７ｃに反射する光に白濁の効果を取り入れても良い。
【０１１３】
また、異色部材１２の色は、単一色に限らず、複数色を用いたり、グラデーションを用いたりしても良い。
【０１１４】
さらに、異色部材１２における１２時、３時、６時、９時位置の部分に、内側面７ｄ側から外側面７ｃ側に延びる所定の幅の線を、異色部材１２の他の部分とは異なる色で形成することにより、見返しリング７を斜め上方から視認したときに、この線を時字として認識させるように構成することもできる。このように、異色部材１２の色を部分的に異ならせることにより、時字以外のインデックスや、ソーラーセル付電子時計で用いられるインデックス以外の情報を表示しても良い。
【０１１５】
さらに、下面７ｂを、文字板５に対して傾斜する斜面に形成し、この斜面に異色部材１２を平行に配置して、下面７ｂから外側面７ｃに反射する光の角度を変えることにより、見返しリング７の内側に出射される光の角度を制御することも可能である。
【０１１６】
［見返しリングの成形の際のゲートについて］
図１５Ａは、図２〜図５に示した見返しリング７を射出成形等で成形するに際して、材料の注入口となるゲート７ｇの設置位置の一例を示す図５相当の図であり、図１５Ｂは、図１５Ａに示した見返しリング７からフランジ７ｚを除去した状態を示す図である。
上述した実施形態や変形例の見返しリング７は、外側面７ｃを内側に傾斜させて形成している。したがって、図５に示したように、見返しリング７の上面７ａは下面７ｂに比べて半径方向の幅が狭くなっている。
【０１１７】
本発明ではない従来の見返しリングは、外側面の内側への傾斜が無いため、上面は下面と同等の幅を有していて、この上面に、射出成形等で必要とされるゲートが設けられている。上面にゲートが設けられるのは、例えば図２に示すように、上面は時計ケース２によって覆われることで、ゲートに生じる痕跡を隠すことができ、痕跡による外観品質の低下を防止することができるためである。
他の面、すなわち、内側面７ｄ、外側面７ｃ及び下面７ｂは、視認される面であったり、光Ｌの入出射面、反射面であったりする。このため、ゲートに生じる痕跡が視認されて目立ちやすい部位や、光の経路への影響で生じる色むら等が視認され易い部位に、ゲートを設けると、見返しリング７の外観品質が低下する。
【０１１８】
本実施形態における見返しリング７は、上述したように上面７ａの幅が狭いため、上面７ａにゲートを直接設置するのは困難な場合がある。
そこで、本実施形態における見返しリング７は、図１５Ａに示すように、上面７ａを含む上部７ｘから半径方向の内側に延びたフランジ７ｚを形成し、このフランジ７ｚにゲート７ｇを設けることができる。この場合、図１５Ａに示すように、上部７ｘにフランジ７ｚを有する見返しリング７が形成され、その後、図１５Ｂに示すように、フランジ７ｚを除去することにより、実施形態の見返しリング７を形成することができる。
【０１１９】
図１６Ａは、図２〜図５に示した見返しリング７を射出成形等で成形するに際して、材料の注入口となるゲート７ｇの設置位置の他の例を示す図５相当の図であり、図１６Ｂは、図１６Ａに示した見返しリング７から延長部分７ｙ及びフランジ７ｚを除去した状態を示す図である。
また、本実施形態における見返しリング７は、図１６Ａに示すように、上面７ａを高さ方向に延長した延長部分７ｙを形成するとともに、その延長部分７ｙから半径方向の内側に延びたフランジ７ｚを形成し、このフランジ７ｚにゲート７ｇを設けることもできる。この場合、図１６Ａに示すように、延長部分７ｙ及びフランジ７ｚを有する見返しリング７が形成され、その後、図１６Ｂに示すように、延長部分７ｙ及びフランジ７ｚを除去することにより、実施形態の見返しリング７を形成することができる。
【０１２０】
仮に、フランジ部７ｚを除去した後に、見返しリング７の内側面７ｄにおける上端部にわずかな痕跡が残ったとしても、そのすぐ上に時計ケース２があるため、目立ちにくい。
また、フランジ部７ｚを除去しやすいように、見返しリング７の内側面７ｄを、文字板５の法線に一致するように鉛直に形成することも可能である。
【０１２１】
図１７は、ゲート７ｇの設置位置の他の例を示す図１５相当の図である。見返しリング７の成形の際に必要とされるゲート７ｇの設置位置としては、上述した図１５，１６に示した例に限定されない。
すなわち、ゲート７ｇは、図１７に示すように、時計ケース２に覆われるため反射への寄与が少ない外側面７ｃの上部７ｕに設置してもよい。また、文字板５の外周部分が載置される凹部７ｅの、文字板５の表面に対向する表面対向面７ｖが長い場合には、その表面対向面７ｖに設置してもよい。同様に、文字板５の外周部分が載置される凹部７ｅの、文字板５の外周端面に対向する端面対向面７ｗが長い場合は、その端面対向面７ｗに設置してもよい。
【０１２２】
［実施形態２］
上述した実施形態１における見返しリング７は、外側面７ｃの全部又は一部が、文字板５の内側に傾斜（傾斜角度θ＞０［度］）した例であるが、本発明に係るソーラーセル付電子時計の見返しリングは、この形態に限定されない。
すなわち、見返しリング７の内側面７ｄから見返しリング７の内部に入射した光は、図５に示すように、見返しリング７の内部で、下面７ｂと外側面７ｃとの２つの面で反射して内側面７ｄから出射する。実施形態１は、反射面となる２面のうち外側面７ｃを傾斜角度θで傾斜させることで、２つの反射面（外側面７ｃと下面７ｂ）が交差する角度を鋭角（９０-θ）［度］に形成している。
【０１２３】
つまり、本発明における見返しリングは、これら２つの反射面が交差する角度を鋭角に構成することで、課題を解決するということもできる。したがって、本発明における見返しリングは、２つの反射面のうち下面を傾斜させてもよいし、外側面と下面との両方を傾斜させてもよい。
図１８は、本発明の実施形態２に係るソーラーセル付電子時計２０を示す図２相当の図、図１９は、図１８のソーラーセル付電子時計２０における見返しリング１７を示す図５相当の図である。図１８に示したソーラーセル付電子時計２０は、見返しリング１７が実施形態１のソーラーセル付電子時計１における見返しリング７と異なる以外は、基本的に同じ構成である。したがって、同じ構成に関する説明は省略する。
【０１２４】
実施形態２の見返しリング１７は、図１９に示すように、外側面１７ｃが、文字板５の法線Ｈに一致するように鉛直に形成されている。すなわち、見返しリング１７の外側面１７ｃの全体の傾斜角度θ（図５参照）は０［度］である。
一方、見返しリング１７の底部の一部である下面１７ｂは、文字板５の中心部から離れるにしたがって見返しリング１７の高さ方向の下方に向かう傾斜角度φ（第２の角度）が、０［度］を超える一定の値となっている。下面１７ｂは、文字板５の外周における側面から外側面１７ｃに至るまで形成されている。
【０１２５】
したがって、下面１７ｂは、図１８に示すように、文字板５の表（おもて）面５ａよりも下方に位置する。
また、傾斜角度θと傾斜角度φの和は、０［度］を超えている。この結果、見返しリング１７の内部で光の反射面となる２つの面（外側面１７ｃと下面１７ｂ）が交差する角度は鋭角（９０-（φ+θ）＝９０-φ）［度］に設定されている。
下面１７ｂには、外側から下面１７ｂに対向して異色部材１２が設けられている。
【０１２６】
図２０は、見返しリング１７の内側面１７ｄから見返しリング１７の内部に光Ｌ１が入射した場合の光Ｌ１の進行方向を示す模式図である。
見返しリング１７に対して内側面１７ｄから入射した光Ｌ１は、実施形態１において説明したように、下面１７ｂを透過し異色部材１２で反射し異色部材の色を反映した光と下面１７ｂで反射し異色部材の色を反映しない光となる。下面１７ｂへの入射角度が小さくなると異色部材１２で反射する光の割合が大きくなり、下面１７ｂへの入射角度が大きくなると下面１７ｂで反射する光の割合が大きくなる。
【０１２７】
異色部材１２で反射した光も下面１７ｂで反射した光も外側面１７ｃに入射する。
ここで、外側面１７ｃと下面１７ｂとの交差する角度が鋭角であり外側面１７ｃの傾斜角度が０［度］であることにより、鋭角ではない従来の直角の場合、すなわち下面１７ｂが傾斜していないものに比べて、異色部材１２又は下面１７ｂで反射して外側面１７ｃに入射する光の入射角度が小さくなることにより、外側面１７ｃで反射する光の角度が小さくなるため、外側面１７ｃで反射した光は上面１７ａよりも内側面１７ｄに向かい易くなる。
この作用は、外側面１７ｃへの入射角度が大きい光ほど顕著になり、下面１７ｂへの入射角度が小さいほど外側面１７ｃへの入射角度が大きくなるため、異色部材１２の色を反映した光は、内側面１７ｄから出射し易くなる。
【０１２８】
一方、下面１７ｂへの入射角度が大きいほど外側面１７ｃへの入射角度が小さくなるため、異色部材１２の色を反映しない光は外側面１７ｃを透過して、ソーラーセル１１（図１８参照）による発電に寄与する光となる。
したがって、見返しリング１７によれば、実施形態１における見返しリング７と同様の作用、効果、すなわち異色部材１２で反射し外側面１７ｃに入射する光を、内側面１７ｄに向けて反射させ見返しリング１７の内側へ出射しやすくできる、という効果を得ることができる。
【０１２９】
なお、下面１７ｂが文字板５の表面５ａよりも下方に位置するため、風防ガラス４から文字板５の表面５ａまでの高さ方向の見かけの寸法に対して、見返しリング１７の外側面１７ｃの側での高さ方向の寸法を大きくすることができ、ソーラーセル１１へ供給する光を増大させることができる。
【０１３０】
［実施形態２の変形例］
図２１は、底部に凹部１７ｅが形成された変形例の見返しリング１７を示す図である。
図１８〜図２０に示した見返しリング１７は、底部の下面１７ｂの内側の端部が、文字板５の表面５ａと同じ高さ位置に形成されたものであるが、底部に、実施形態１における見返しリング７の凹部７ｅと同様の凹部１７ｅを形成してもよい。
変形例の見返しリング１７の凹部１７ｅは、図２１に示すように、文字板５の外周部が収容される部分である。
【０１３１】
凹部１７ｅは、見返しリング１７の高さ方向に関して、文字板５の厚さ分だけ凹んで形成されている。したがって、変形例の見返しリング１７は、下面１７ｂの内側の端部が、文字板５の裏面５ｂと同じ高さ位置に形成されている。
このように形成された変形例の見返しリング１７は、下面１７ｂの傾斜、及び下面１７ｂと外側面１７ｃとが交差する鋭角の角度、という基本的な構成は実施形態２における見返しリング１７と同じである。したがって、変形例の見返しリング１７によっても、異色部材１２で反射し外側面１７ｃに入射する光を、内側面１７ｄに向けて反射させ見返しリング１７の内側へ出射しやすくできる、という効果を得ることができる。
【０１３２】
また、下面１７ｂが文字板５の裏面５ｂよりも下方に位置するため、風防ガラス４から文字板５の表面５ａまでの高さ方向の見かけの寸法に対して、見返しリング１７の外側面１７ｃの側での高さ方向の寸法をさらに大きくすることができ、ソーラーセル１１へ供給する光を一層増大させることができる。
【０１３３】
図２２Ａ、図２２Ｂ、図２２Ｃ及び図２２Ｄは、見返しリング１７の下面１７ｂの形状が異なるソーラーセル付電子時計の変形例を示す図である。
図２２Ａ〜図２２Ｄに示したソーラーセル付電子時計における見返しリング１７が、図２１に示したものと異なるのは、見返しリング１７における下面１７ｂの形状だけであり、これ以外の構成は同一であるため説明を省略する。
【０１３４】
図２２Ａは、下面１７ｂを、下方側に膨らんだ曲面状に傾斜させて形成し、図２２Ｂは、下面１７ｂを、傾斜角度が異なる複数の傾斜面で形成し、図２２Ｃは、下面１７ｂの内側だけを傾斜面に形成し、図２２Ｄは、下面１７ｂの外側だけを傾斜面に形成した例である。
【０１３５】
図２２Ａに示す見返しリング１７は、下面１７ｂの傾斜角度φが、内側から外側に向かうにしたがって小さくなる曲面で形成されている。このように構成された下面１７ｂを有する見返しリング１７は、内側面１７ｄから入射した光Ｌ１が反射する下面１７ｂの位置が、外側（外側面１７ｃに近い側）にずれるにしたがって、下面１７ｂに対する入射角度が小さくなり、異色部材１２で反射する割合が増加する。
【０１３６】
しかも、光Ｌ１が反射する下面１７ｂの位置が、外側（外側面１７ｃに近い側）にずれるにしたがって、異色部材１２で反射した光の外側面１７ｃへの入射角度が大きくなる。これに伴い、下面１７ｂの傾斜角度φが内側から外側に向かうにしたがって小さくならない場合よりも、外側面１７ｃでの反射位置が上側にずれる。
これにより、異色部材１２で反射した光が内側面１７ｄから出射する範囲を、内側面１７ｄの上側に集中させるように、光の反射角度を調整することが容易である。
【０１３７】
図２２Ｂに示す見返しリング１７は、下面１７ｂの傾斜角度φが、内側から外側に向かうにしたがって順次小さくなる３つの傾斜面で形成されている。
このように構成された下面１７ｂを有する見返しリング１７は、内側面１７ｄから入射した光Ｌ１が反射する下面１７ｂの位置が、傾斜角度φの小さい外側（外側面１７ｃに近い側）にずれるにしたがって、下面１７ｂに対する入射角度が小さくなり、異色部材１２で反射する割合が増加する。
【０１３８】
しかも、光Ｌ１が反射する下面１７ｂの位置が、外側（外側面１７ｃに近い側）にずれるにしたがって、異色部材１２で反射した光の外側面１７ｃへの入射角度が大きくなる。
これにより、異色部材１２で反射した光が内側面１７ｄから出射する範囲を、内側面１７ｄの上側に集中させるように、光の反射角度を調整することが容易である。
【０１３９】
図２２Ｃに示す見返しリング１７は、下面１７ｂの外側部分(外周側の)端部から所定の長さの位置までの範囲の部分）が傾斜せず（傾斜角度φ＝０［度］）、それよりも内側で、凹部１７ｅまでの範囲が傾斜角度φ（＞０［度］）で傾斜している。
このように構成された下面１７ｂを有する見返しリング１７は、下面１７ｂの外側部分と外側面１７ｃとは直角に交差しているため、この交差した角部分は、角部分が鋭角となっている他の変形例に比べて、破損しにくくなり、見返しリング１７の耐衝撃性が向上する。
【０１４０】
なお、図２２Ｃに示す見返しリング１７は、次に説明する図２２Ｄに示す見返しリング１７のように、下面１７ｂの内側における文字板５の近傍が傾斜しない構成とすることもできる。
すなわち、図２２Ｃに示す見返しリング１７は、下面１７ｂの外側部分端部から所定の長さの位置までの範囲の部分が傾斜せず、それよりも内側で、凹部１７ｅまでの範囲の少なくとも一部に傾斜面を形成することができる。
【０１４１】
図２２Ｄに示す見返しリング１７は、下面１７ｂの内側の部分が傾斜せず（傾斜角度φ＝０［度］）、それよりも外側で、外側面１７ｃに隣接する部分までの範囲が傾斜角度φ（＞０［度］）で傾斜している。
ここで、図２２Ｄに示す見返しリング１７は、図２１に示した見返しリング１７よりも、傾斜角度φで傾斜する範囲が狭くなる。したがって、図２２Ｄに示す見返しリング１７における外側面１７ｃの下端部の位置が、図２１に示した見返しリング１７と高さ方向に同じ位置にある場合は、図２２Ｄに示した見返しリング１７ｂの方が、下面１７ｂの傾斜角度が大きくなる。
【０１４２】
このように構成された下面１７ｂを有する見返しリング１７は、内側面１７ｄから入射した光Ｌ１が反射する下面１７ｂの位置が、傾斜角度φが０［度］である内側のときは、下面１７ｂに対する入射角度が小さくなり、外側面１７ｃの上側の部分に反射される。そして、外側面１７ｃの上側の部分に大きな入射角度で入射した光は上面１７ａに到達するため、内側面１７ｄから出射しない。
【０１４３】
一方、内側面１７ｄから入射した光Ｌ１が反射する下面１７ｂの位置が、傾斜角度φ（＞０）である外側であるときは、異色部材１２で反射した光の外側面１７ｃへの入射角度が、図２１に示した見返しリング１７の場合よりも小さくなるとともに、外側面１７ｃでの反射位置が下側にずれ、しかも、外側面１７ｃで反射する光の反射角度も小さくなる。
したがって、外側面１７ｃで反射された後に、内側面１７ｄの、主に下側部分から出射する。
【０１４４】
このように、図２２Ｄに示した見返しリング１７によると、見返しリング１７の内側面１７ｄにおける上側部分から出射する光が少なくなって暗く見えることとなり、暗く見える上側部分を見返しリング１７と認識できず、見返しリング１７が実際の高さ（寸法）よりも、低いと錯覚することになる。
これにより、文字板５から風防ガラス４（図１８参照）までの奥行きの長さ（寸法）が、実際の長さよりも短く感じられる視覚効果が得られる。
【０１４５】
［実施形態３］
上述した実施形態１，２及び各変形例の見返しリング７，１７は、図２，１８に示すように、上面７ａ，１７ａ（図４、図１９参照）に時計ケース２が配置される形状に形成されている。しかし、本発明に係るソーラーセル付電子時計における見返しリングは、これら実施形態及び変形例に限定されない。
図２３は、実施形態３の、見返しリング２７を備えたソーラーセル付電子時計３０の一部を示す図、図２４は、図２３における見返しリング２７の詳細を示す図である。
図示の見返しリング２７は、図１９に示した見返しリング１７に対して、上面２７ａを含む上側の部分が、半径方向の、外側面２７ｃよりも外側まで延びて、外側面２７ｃから突出したフランジ２７ｅを有している。
【０１４６】
そして、フランジ２７ｅの上側は、上面２７ａとして、風防ガラス４に接し、フランジ２７ｅの下側は、裏面２７ｆとして時計ケース２の庇部２ａに上側から接する。
見返しリング２７の外側面２７ｃから外方に突出したフランジ２７ｅの裏面２７ｆが時計ケース２の庇部２ａに接する構成によると、見返しリング２７の上面２７ａのうちフランジ２７ｅよりも内側の部分は、見返しリング２７の内部から出射する光が、不透明の時計ケース２によって遮られることが無い。
【０１４７】
したがって、実施形態１，２及び変形例の各見返しリング７，１７においては、内部から上面７ａ，１７ａに到達していた、異色部材１２の色を反映した反射光も、実施形態３の見返しリング２７によれば、上面２７ａからも出射させることができる。これにより、上面２７ａにおいても、ソーラーセル１１（図２３参照）の色を反映した光が視認されるのを防止することができる。
【０１４８】
しかも、見返しリング２７は、上面２７ａから文字板５に略垂直に見返しリング２７に入射した光の一部も、下面２７ｂで外側面２７ｃに反射させ、ソーラーセル１１の発電に供することができ、ソーラーセルの発電効率を一層高めることができる。
なお、見返しリング２７は、フランジ２７ｅの外側の端面２７ｇに、見返しリング２７の成形に必要とされるゲートを配置することもできる。
【０１４９】
［実施形態４］
上述した実施形態１における見返しリング７は、外側面７ｃが傾斜角度θで傾斜したものであり、実施形態２における見返しリング１７及び実施形態３における見返しリング２７は、下面１７ｂ，２７ｂが傾斜角度φで傾斜したものであるが、本発明に係るソーラーセル付電子時計における見返しリングは、外側面が傾斜角度θで傾斜し、かつ下面が傾斜角度φで傾斜したものであってもよい。
なお、一方の傾斜角度θ又は傾斜角度φが負の角度であってもよく、他方の傾斜角度φ又は傾斜角度θとの和(θ＋φ）が０を超える正の値であればよい。
【０１５０】
また、一方の傾斜角度θ又は傾斜角度φを主たる傾斜角度として大きな値で設定し、他方の傾斜角度φ又は傾斜角度θを微調整用の小さな値で設定してもよい。特に、他の部材（文字板５やソーラーセル１１など）との位置関係の制約等によって、一方の傾斜角度θ又は傾斜角度φを大きく確保することができない場合に、特に有効である。
図２５Ａ及び図２５Ｂは、外側面３７ｃが傾斜角度θで傾斜し、下面３７ｂが傾斜角度φ（＞０［度］）で傾斜した見返しリング３７を示す図である。
【０１５１】
図２５Ａに示した見返しリング３７は、詳しくは、外側面３７ｃが、高さ方向に文字板５から離れるにしたがって文字板５の中心部に近付くように、内側に傾斜（θ＞０［度］）して形成されている。
一方、図２５Ｂに示した見返しリング３７は、詳しくは、外側面３７ｃが、高さ方向に文字板５から離れるにしたがって文字板５の中心部から遠ざかるように、外側に傾斜（θ＜０［度］）して形成されている。なお、図２５Ｂの見返しリング３７は、傾斜角度θ（負の値）と傾斜角度φ（正の値）との和（θ＋φ）は正の値となっている。
【０１５２】
このように形成された各見返しリング３７も、外側面３７ｃと下面３７ｂとが交差する角度（９０−（θ＋φ））が鋭角となるため、上述した各実施形態１，２，３における見返しリング７，１７，２７と同様の作用、効果を発揮することができる。
なお、図２５Ａや図２５Ｂのように、下面３７ｂと外側面３７ｃとの両方が、０度以外の傾斜角度φ，θで傾斜する場合に、いずれか一方の傾斜面又は両方の傾斜面を、図９Ａ〜図９Ｄや図２２Ａ〜図２２Ｄに示したいずれかの傾斜面で構成することも可能である。
【０１５３】
図２６Ａ及び図２６Ｂは、最外周面４７ｃよりも内側に、文字板５の法線Ｈに対して傾斜角度θで傾斜した方向に延びる溝４７ｈが形成された見返しリング４７を示す図であり、図２６Ａの見返しリング４７は、最外周面４７ｃが内側に傾斜した外形を有し、図２６Ｂの見返しリング４７は、最外周面４７ｃが傾斜していない外形を有する。
これらの見返しリング４７においては、内側面４７ｄから見返しリング４７の内部に入射した光は、下面４７ｂ又は下面４７ｂに対向した異色部材１２で反射した後に、最外周面４７ｃで反射する前に、溝４７ｈの側壁面となる２つの面のうち内側（文字板５に近い側）に対応した面４７ｊで反射する。
【０１５４】
つまり、これらの見返しリング４７においては、本発明のソーラーセル付電子時計における見返しリングの外側面に対応する部分は、溝４７ｈの内側の側壁の面４７ｊであり、溝４７ｈより図示の左側の部分４７ｉは、外側面に相当する面４７ｊの外部の別部材と評価することができる。
したがって、最外周面４７ｃも下面４７ｂも共に傾斜していない図２６Ｂの見返しリング４７であっても、溝４７ｈの内側の側壁の面４７ｊが内側に傾斜していることにより、本発明のソーラーセル付電子時計における見返しリングの実施形態となる。
なお、見返しリング４７は、溝４７ｈの内側の側壁の面４７ｊと下面４７ｂとが交差する角度（９０−θ）は鋭角となる。
【０１５５】
上述した各実施形態及び各変形例において、ソーラーセル１１による発電量に余裕がある場合は、異色部材１２による着色効果に加えて、見返しリング７，１７，２７，３７，４７に着色することも可能である。
例えば、見返しリング７，１７，２７，３７，４７における内側面７ｄ，１７ｄ，２７ｄ，３７ｄ，４７ｄや外側面７ｃ，１７ｃ，２７ｃ，３７ｃ，４７ｃに、透過率の高い塗料で着色したり、見返しリング７，１７，２７，３７，４７を透過率の高い有色の樹脂で成形したりしてもよい。これらによって、さらに、見返しリング７，１７，２７，３７，４７の装飾性を高めることができる。
【関連出願の相互参照】
【０１５６】
本出願は、２０１４年６月２４日に日本国特許庁に出願された特願２０１４−１２８７９７に基づいて優先権を主張し、その全ての開示は完全に本明細書で参照により組み込まれる。
【図１】
2015199064.tif 000004
【図２】
2015199064.tif 000005
【図３】
2015199064.tif 000006
【図４】
2015199064.tif 000007
【図５】
2015199064.tif 000008
【図６】
2015199064.tif 000009
【図７】
2015199064.tif 000010
【図８】
2015199064.tif 000011
【図９Ａ】
2015199064.tif 000012
【図９Ｂ】
2015199064.tif 000013
【図９Ｃ】
2015199064.tif 000014
【図９Ｄ】
2015199064.tif 000015
【図１０Ａ】
2015199064.tif 000016
【図１０Ｂ】
2015199064.tif 000017
【図１１】
2015199064.tif 000018
【図１２】
2015199064.tif 000019
【図１３】
2015199064.tif 000020
【図１４】
2015199064.tif 000021
【図１５Ａ】
2015199064.tif 000022
【図１５Ｂ】
2015199064.tif 000023
【図１６Ａ】
2015199064.tif 000024
【図１６Ｂ】
2015199064.tif 000025
【図１７】
2015199064.tif 000026
【図１８】
2015199064.tif 000027
【図１９】
2015199064.tif 000028
【図２０】
2015199064.tif 000029
【図２１】
2015199064.tif 000030
【図２２Ａ】
2015199064.tif 000031
【図２２Ｂ】
2015199064.tif 000032
【図２２Ｃ】
2015199064.tif 000033
【図２２Ｄ】
2015199064.tif 000034
【図２３】
2015199064.tif 000035
【図２４】
2015199064.tif 000036
【図２５Ａ】
2015199064.tif 000037
【図２５Ｂ】
2015199064.tif 000038
【図２６Ａ】
2015199064.tif 000039
【図２６Ｂ】
2015199064.tif 000040
【国際調査報告】
2015199064.tif 000041
2015199064.tif 000042
2015199064.tif 000043
2015199064.tif 000044